(57)【要約】【課題】マルチレートの圧縮符号化方式に対応していながら、音声の録音・再生を行うことを可能とする。【解決手段】受信音声は、チャネル復号器１２でチャネル復号がなされた圧縮音声データを音声復号器１３で一旦復号したのち、音声符号化器４にてユーザが指定する符号化レートで再度音声符号化し、これにより得られる圧縮音声データを録音用メモリ１７に記憶することで録音される。このように録音された音声は、録音用メモリ１７に記憶された圧縮音声データを音声復号器１３で復号した上で、Ｄ／Ａ変換器１５およびスピーカ１６により再生される。【選択図】　　図１
2004120432.tif 000002
【特許請求の範囲】
【請求項１】
音声データを複数の符号化レートで圧縮符号化又は復号する機能を備え、基地局を介して音声通信を行う移動通信端末において、
圧縮音声データを記憶する記憶手段と、
音声データを複数の符号化レートでそれぞれ圧縮符号化することで複数の圧縮音声データに変換する符号化手段と、
前記圧縮音声データを前記音声データへと復号する復号手段と、
前記基地局を介して到来した圧縮音声データの復号を前記復号手段に行わせたのち、これにより得られた音声データから所定符号化レートで前記符号化手段により圧縮符号化して得られる圧縮音声データを前記記憶手段に記憶させる録音制御手段と、
前記記憶手段に記憶されていて再生対象となる音声に対応する圧縮音声データの復号を前記復号手段に行わせる再生制御手段とを具備した移動通信端末。
【請求項２】
音声データを複数の符号化レートで圧縮符号化又は復号する機能を備え、基地局を介して音声通信を行う移動通信端末において、
圧縮音声データを記憶する記憶手段と、
音声データを複数の符号化レートでそれぞれ圧縮符号化することで複数の圧縮音声データに変換する符号化手段と、
前記圧縮音声データを前記音声データへと復号する復号手段と、
録音対象となる音声データから所定符号化レートで前記符号化手段により圧縮符号化して得られる圧縮音声データを前記記憶手段に記憶させる録音制御手段と、
前記記憶手段に記憶されていて再生対象となる音声に対応する圧縮音声データの復号を前記復号手段に行わせる再生制御手段とを具備した移動通信端末。
【請求項３】
ユーザによる符号化レートの指定を受け付けるレート受付手段を備え、
このレート受付手段により受け付けられた指定が示す符号化レートを前記所定符号化レートとする請求項１または請求項２に記載の移動通信端末。
【請求項４】
前記符号化手段は、前記音声データに音声成分が含まれない場合には間欠的に符号化を行う間欠符号化モードを備えるものであり、
ユーザによる間欠符号化モードを使用するか否かの指定を受け付けるモード受付手段とを備え、
かつ前記録音制御手段は、前記モード受付手段により受け付けられた指定により間欠符号化モードの使用が指定されている場合には録音対象となる音声データの符号化を間欠符号化モードにより前記符号化手段に行わせる請求項１または請求項２に記載の移動通信端末。
【発明の詳細な説明】
【０００１】
【発明の属する技術分野】
本発明は、ディジタル携帯電話機などのような移動通信端末に関する。
【０００２】
【従来の技術】
携帯電話機は、留守番録音機能やメモ録音機能を実現するべく、任意の音声を録音しておき、この録音してある音声を必要に応じて再生する機能が備えられている。
【０００３】
ディジタル方式の携帯電話機の場合、音声データは圧縮符号化により圧縮音声データとされて通信網を伝送される。このため音声を録音するためには、圧縮音声データをメモリに記憶することが一般的に行われている。
【０００４】
【発明が解決しようとする課題】
従来よりある携帯電話機の音声コーデックで用いられる音声符号化方式の符号化レートは基本的には固定で変わらない。このため、録音時の符号化レートと再生時の符号化レートは一致するのでメモリに記憶してある圧縮音声データをそのまま送信することができた。
【０００５】
しかしながら、Ｗ−ＣＤＭＡ方式のような次世代の通信方式では、ＡＭＲ（Ａｄａｐｔｉｖｅ　Ｍｕｌｔｉ　Ｒａｔｅ）方式のようなマルチレートの音声音声符号化方式が利用されるようになっている。
【０００６】
このため、送られてくる圧縮音声データの符号化レートは不定であり、メモリに効率的に記憶することが困難である。
【０００７】
また、ユーザの音声をメモ録音する場合には、通信状態にないために通信網からの符号化レートの指定がなされず、音声データを符号化するための符号化レートが定まらない。
【０００８】
本発明はこのような事情を考慮してなされたものであり、その目的とするところは、マルチレートの圧縮符号化方式に対応していながら、音声の録音・再生を行うことができる移動通信端末を提供することにある。
【０００９】
【課題を解決するための手段】
以上の目的を達成するために第１の本発明は、複数の符号化レートのうちの１つを任意に端末に指定する通信網を介して音声通信を行う移動通信端末において、音声データを記憶する記憶手段と、音声データを複数の符号化レートでそれぞれ圧縮符号化することで複数の圧縮音声データに変換する符号化手段と、前記圧縮音声データを前記音声データへと復号する復号手段と、受信音声の録音時に、前記通信網を介して到来した圧縮音声データの復号を前記復号手段に行わせたのち、これにより得られた音声データから所定符号化レートで前記符号化手段により圧縮符号化して得られる圧縮音声データを前記記憶手段に記憶させる録音制御手段と、録音済みの音声の再生時に、前記記憶手段に記憶されていて再生対象となる音声に対応する圧縮音声データの復号を前記復号手段に行わせる再生制御手段とを備えた。
【００１０】
このような手段を講じたことにより、受信音声は、通信網を介して到来した圧縮音声データを復号し、これにより得られた音声データを所定符号化レートで再度の圧縮符号化をして得られる圧縮音声データが記憶手段に記憶されることで録音される。そしてこの録音された音声は、記憶手段に記憶されている圧縮音声データを復号した上で再生される。従って、記憶手段には常に所定符号化レートで符号化された圧縮音声データが記憶されることとなる。
【００１１】
また前記目的を達成するために第２の本発明は、複数の符号化レートのうちの１つを任意に端末に指定する通信網を介して音声通信を行う移動通信端末において、音声データを記憶する記憶手段と、音声データを複数の符号化レートでそれぞれ圧縮符号化することで複数の圧縮音声データに変換する符号化手段と、前記圧縮音声データを前記音声データへと復号する復号手段と、音声の録音時に、録音対象となる音声データから所定符号化レートで前記符号化手段により圧縮符号化して得られる圧縮音声データを前記記憶手段に記憶させる録音制御手段と、録音済みの音声の再生時に、前記記憶手段に記憶されていて再生対象となる音声に対応する圧縮音声データの復号を前記復号手段に行わせる再生制御手段とを備えた。
【００１２】
このような手段を講じたことにより、ユーザが喋った音声などは、その音声を示す音声データを所定符号化レートで再度の圧縮符号化をして得られる圧縮音声データが記憶手段に記憶されることで録音される。そしてこの録音された音声は、記憶手段に記憶されている圧縮音声データを復号した上で再生される。従って、記憶手段には常に所定符号化レートで符号化された圧縮音声データが記憶されることとなる。
【００１３】
【発明の実施の形態】
以下、図面を参照して本発明の実施形態につき説明する。
【００１４】
（第１の実施形態）
図１は本発明の第１実施形態に係る携帯電話機の構成を示すブロック図である。
図１に示すように第１実施形態の携帯電話機は、マイクロホン１、Ａ／Ｄ変換器２、セレクタ３、音声符号化器４、チャネル符号化器５、インタリーバ６、変調部７、無線部８、アンテナ９、復調部１０、デインタリーバ１１、チャネル復号器１２、音声復号器１３、セレクタ１４、Ｄ／Ａ変換器１５、スピーカ１６、録音用メモリ１７、キー入力部１８、表示部１９および制御部２０を有してなる。
【００１５】
ユーザが発した声を含む周囲音をマイクロホン１により電気信号に変換してなる送話音声信号は、Ａ／Ｄ変換器２でディジタル化されることで音声データに変換される。音声データは、音声符号化器４で冗長成分を除去して低ビットレート化を図るための音声符号化処理が行われる。音声符号化器４が使用する符号化方式は例えばＡＭＲ方式などのような可変レートの方式であって、制御部２０により設定される符号化レートでの符号化処理を行う。音声符号化器４は、入力される音声データにほとんど音声成分が含まれない場合に、符号化を間欠的に行う間欠符号化モードも有している。
【００１６】
音声符号化器４により得られる圧縮音声データは、チャネル符号化器５に入力され、ここで伝送誤り対策のための誤り検出・訂正符号化処理が行われる。このチャネル符号化器５による符号化された後の圧縮音声データは、次にインタリーバ６にてインタリーブ処理される。そして、このインタリーブされた圧縮音声データは、変調部７にてディジタル変調されたのち、無線部８でアップリンク用の無線周波信号に変換される。そして無線周波信号は、無線部８からアンテナ９へと供給され、図示しない基地局に向けて無線送信される。
【００１７】
一方、基地局から送信されたダウンリンク用の無線周波信号は、アンテナで受信されて無線部８に入力される。無線周波信号は無線部８にて、ベースバンドの受信信号に変換されたのち、復調部１０でディジタル復調されることで圧縮音声データが再生される。ただし、この段階では圧縮音声データにはインタリーブとチャネル符号化がなされている。そこで圧縮音声データは、デインタリーバ１１にてデインタリーブされたのち、チャネル復号器１２にて、誤り訂正・検出符号の復号処理が行われる。さらに圧縮音声データは音声復号器１３にて、その符号化レートに応じた音声復号処理がなされ、これにより音声データが再生される。そして音声データは、Ｄ／Ａ変換器１５でアナログの受話音声信号とされ、スピーカより拡声される。
【００１８】
音声符号化器４およびチャネル復号器１２から出力される圧縮音声データは、それぞれ録音用メモリ１７へも与えられている。録音用メモリ１７は、制御部２０の制御の下にこれらの圧縮音声データを取り込んで記憶する。
【００１９】
キー入力部１８は、ユーザによるさまざまな指示を受け付けるための多数のキースイッチが設けられている。キー入力部１８は、これらのキースイッチの押下によるユーザ指示を入力し、入力内容を制御部２０に対して通知する。
【００２０】
表示部１９は、例えばＬＣＤを用いて構成される。表示部１９は、制御部２０の制御の下にユーザに提示するべき各種の画像を表示する。
【００２１】
制御部２０は、例えばプロセッサを主体としてなり、ソフトウェア処理により各部の制御処理を行うことで、携帯電話機としての動作を実現する。また制御部２０はソフトウェア処理を実行することで、例えば音声通話機能などのような携帯電話機における周知の一般的な機能を実現するための制御手段としての他に、録音レート受付手段２０ａ、録音モード受付手段２０ｂ、留守番録音制御手段２０ｃおよび再生制御手段２０ｄとして動作する。
【００２２】
録音レート受付手段２０ａは、録音のために録音用メモリ１７へと記憶する圧縮音声データの符号化レートについてのユーザ指定を受け付ける。
【００２３】
録音モード受付手段２０ｂは、録音の際に間欠符号化モードを使用するか否かのユーザ指定を受け付ける。
【００２４】
留守番録音制御手段２０ｃは、通信網を介して到来した音声を示す圧縮音声データを留守番録音のために録音用メモリ１７に記憶させるための処理を行う。
【００２５】
そして再生制御手段２０ｄは、録音用メモリ１７に記憶された圧縮音声データに基づいて音声を再生するための処理を行う。
【００２６】
次に以上のように構成された携帯電話機の動作につき説明する。なお、音声通話機能などのような携帯電話機における一般的な機能を実現するための処理は従来と同様であるのでその説明は省略する。そしてここでは、留守番録音機能に関する動作につき詳細に説明する。
【００２７】
さて、留守番モードが設定されている状態で着信が発生した際には、制御部２０は所定の留守番応答処理を行った後に、留守番録音制御手段２０ｃにより図２に示すような留守番録音処理を実行する。
【００２８】
制御部２０はステップＳＴ１において、通信網から指定される符号化レート（システムレート）を判定する。そして制御部２０はステップＳＴ２において、判定したシステムレートを音声復号器１３に設定する。また制御部２０はステップＳＴ３において、ユーザにより予め指定されている符号化レート（ユーザレート）を音声符号化器４に設定する。さらに制御部２０はステップＳＴ４において、ユーザにより予め指定されている間欠符号化モードの使用の有無（ユーザモード）に基づいて音声符号化器４の符号化モードを間欠符号化モードまたは通常モード（間欠符号化無しのモード）に設定する。ユーザレートおよびユーザモードは、ユーザによるメニュー操作に基づいて録音レート受付手段２０ａおよび録音モード受付手段２０ｂにより受け付けられる。
【００２９】
さらに制御部２０はステップＳＴ５において、セレクタ３およびセレクタ１４を、お互いを選択する側（ループ形成側）にセットする。これにより、音声復号器１３で再生された音声データを音声符号化器４へと戻すループが形成される。
【００３０】
このように各部の状態をセットしたのちに、制御部２０はステップＳＴ６において、音声符号化器４から出力される圧縮音声データの録音用メモリ１７への書き込みを開始する。このとき、音声符号化器４へは、通信網を介して送られてきた圧縮音声データを音声復号器１３により復号して得られた音声データが、セレクタ１４およびセレクタ３を介して与えられている。従って、録音用メモリ１７へは、受話音声を示し、かつユーザレートで符号化し直された圧縮音声データが書き込まれる。間欠符号化モードが設定されているならば、符号化に当っては間欠符号化も適用される。なお間欠符号化は、音声データに音声成分が含まれない場合に、１００ｍｓ程度に１度の割合で背景雑音を符号化する。
【００３１】
このような状態で制御部２０はステップＳＴ７およびステップＳＴ８において、符号化レートの変更が通信網より指定されるか、あるいは録音の終了条件が成立するのを待ち受ける。ここで、符号化レートの変更が通信網より指定されたならば、制御部２０はステップＳＴ９において、新たに通信網より指定された符号化レートに音声復号器１３の復号レートを変更する。そしてこののちに制御部２０は、ステップＳＴ７およびステップＳＴ８の待ち受け状態に戻る。
【００３２】
そして、例えば終話や録音許容時間の終了などのような終了条件が成立したことをステップＳＴ８にて確認したならば、制御部２０はステップＳＴ１０において録音用メモリ１７への書き込みを停止し、これをもって留守番録音処理を終了する。
【００３３】
以上のような留守番録音処理により録音された音声の再生がユーザにより要求されたならば、制御部２０は再生制御手段２０ｄにより図３に示すような再生処理を実行する。
【００３４】
制御部２０はステップＳＴ１１において、録音用メモリ１７に記憶されている圧縮音声データの符号化レート（保存レート）を音声復号器１３に設定する。この上で制御部２０はステップＳＴ１２において、録音用メモリ１７に記憶されている再生対象の音声に対応する圧縮音声データの音声復号器１３への出力を開始する。
【００３５】
このとき、セレクタ１４は標準状態にあり、音声復号器１３で復号された音声データはＤ／Ａ変換器１５へと与えられる。このため、録音用メモリ１７に記憶されていた圧縮音声データに基づく音声の再生がスピーカ１６にてなされることになる。
【００３６】
そしてこの状態にて制御部２０はステップＳＴ１３において、所定の終了条件が成立するのを待ち受ける。そして、例えば音声再生の完了や再生停止の指示などのような終了条件が成立したならば、制御部２０はステップＳＴ１４において、録音用メモリ１７からの圧縮音声データの出力を停止し、これをもって再生処理を終了する。
【００３７】
かくしてこの第１実施形態によれば、留守番録音時には、まず図４に符号Ｒ１を付して示すような流れにより、受信されてチャネル復号器１２から出力される圧縮音声データは、音声復号器１３で一旦復号されたのち、音声符号化器４で再度ユーザレートで音声符号化され、これにより得られた圧縮音声データＤ１が録音用メモリ１７に記憶される。
【００３８】
そして、録音した音声の再生の際には、符号Ｐ１で示すように、圧縮音声データＤ１が音声復号器１３により再度復号されて、Ｄ／Ａ変換器１５へと与えられる。
【００３９】
従って第１実施形態によれば、いかなる符号化レートで符号化された圧縮音声データが到来した場合でも、ユーザが指定する符号化レートおよび符号化モードで音声符号化された圧縮音声データとして録音用メモリ１７に記憶することが可能である。これにより、メモリ容量とユーザニーズとに合わせた効率的な録音を行うことが可能である。
【００４０】
（第２の実施形態）
図５は本発明の第２実施形態に係る携帯電話機の構成を示すブロック図である。なお、図５において図１と同一の部分には同一符号を付し、その詳細な説明は省略する。
図５に示すように第２実施形態の携帯電話機は、マイクロホン１、Ａ／Ｄ変換器２、セレクタ３、音声符号化器４、チャネル符号化器５、インタリーバ６、変調部７、無線部８、アンテナ９、復調部１０、デインタリーバ１１、チャネル復号器１２、音声復号器１３、セレクタ１４、Ｄ／Ａ変換器１５、スピーカ１６、録音用メモリ１７、キー入力部１８、表示部１９および制御部２１を有してなる。
【００４１】
すなわちこの第２実施形態の携帯電話機は、前述の第１実施形態の携帯電話機における制御部２０に代えて制御部２１を設けてなる。
【００４２】
制御部２１は、例えばプロセッサを主体としてなり、ソフトウェア処理により各部の制御処理を行うことで、携帯電話機としての動作を実現する。また制御部２１はソフトウェア処理を実行することで、例えば音声通話機能などのような携帯電話機における周知の一般的な機能を実現するための制御手段としての他に、録音レート受付手段２０ａ、録音モード受付手段２０ｂ、再生制御手段２０ｄおよびメモ録音制御手段２１ａとして動作する。
【００４３】
すなわち制御部２１は、第１実施形態の制御部２０における留守番録音制御手段２０ｃに代えてメモ録音制御手段２１ａとして動作するものである。
【００４４】
メモ録音制御手段２１ａは、留守番録音のために通信網を介して到来した音声を示す圧縮音声データを録音用メモリ１７に記憶させるための処理を行う。
【００４５】
次に以上のように構成された携帯電話機の動作につき説明する。なお、音声通話機能などのような携帯電話機における一般的な機能を実現するための処理は従来と同様であるのでその説明は省略する。そしてここでは、メモ録音機能に関する動作につき詳細に説明する。
【００４６】
ユーザがメモ録音を要求したならば、制御部２１はメモ録音制御手段２１ａにより図６に示すようなメモ録音処理を実行する。
【００４７】
制御部２１はステップＳＴ２１において、ユーザにより予め指定されている符号化レート（ユーザレート）を音声符号化器４に設定する。さらに制御部２１はステップＳＴ２２において、ユーザにより予め指定されている間欠符号化モードの使用の有無（ユーザモード）に基づいて音声符号化器４の符号化モードを間欠符号化モードまたは通常モード（間欠符号化無しのモード）に設定する。ユーザレートおよびユーザモードは、ユーザによるメニュー操作に基づいて録音レート受付手段２０ａおよび録音モード受付手段２０ｂにより受け付けられる。
【００４８】
このように各部の状態をセットしたのちに、制御部２１はステップＳＴ２３において、音声符号化器４から出力される圧縮音声データの録音用メモリ１７への書き込みを開始する。このとき、セレクタ３は標準状態にあり、音声符号化器４へはＡ／Ｄ変換器２から出力される音声データがセレクタ３を介して与えられている。従って、ユーザがマイクロホン１へ向けて喋れば、その音声を示す音声データをユーザレートで符号化した圧縮音声データが録音用メモリ１７へと書き込まれる。間欠符号化モードが設定されているならば、符号化に当っては間欠符号化も適用される。
【００４９】
このような状態で制御部２１はステップＳＴ２４において、録音の終了条件が成立するのを待ち受ける。ここで、例えばユーザによる終了指示や録音許容時間の終了などのような終了条件が成立したことを確認したならば、制御部２１はステップＳＴ２５にて録音用メモリ１７への書き込みを停止し、これをもってメモ録音処理を終了する。
【００５０】
以上のようなメモ録音処理により録音された音声の再生がユーザにより要求されたならば、第１実施形態におけるのと同様な再生処理により再生される。
【００５１】
かくしてこの第２実施形態によれば、メモ録音時には、まず図７に符号Ｒ１１を付して示すような流れにより、ユーザが喋った音声を示す音声データが音声符号化器４でユーザレートで音声符号化され、これにより得られた圧縮音声データＤ１１が録音用メモリ１７に記憶される。
【００５２】
そして、録音した音声の再生の際には、符号Ｐ１１で示すように、圧縮音声データＤ１１が音声復号器１３により復号されて、Ｄ／Ａ変換器１５へと与えられる。
【００５３】
従って第２実施形態によれば、ユーザが喋った音声を、ユーザが指定する符号化レートおよび符号化モードで音声符号化された圧縮音声データとして録音用メモリ１７に記憶することが可能である。これにより、メモリ容量とユーザニーズとに合わせた効率的な録音を行うことが可能である。
【００５４】
なお、本発明は前記各実施形態に限定されるものではない。例えば前記各実施形態では、録音の際の音声符号化の符号化レートは固定としても良い。
【００５５】
また本発明は、携帯電話機とは異なる種類の移動通信端末にも適用が可能である。
【００５６】
このほか、本発明の要旨を逸脱しない範囲で種々の変形実施が可能である。
【００５７】
【発明の効果】
第１の本発明によれば、受信音声は、通信網を介して到来した圧縮音声データを復号し、これにより得られた音声データを所定符号化レートで再度の圧縮符号化をして得られる圧縮音声データを記憶手段に記憶することで録音する。そしてこの録音した音声は、記憶手段に記憶されている圧縮音声データを復号した上で再生する。従って、記憶手段には常に所定符号化レートで符号化された圧縮音声データが記憶されることとなり、この結果、マルチレートの圧縮符号化方式に対応していながら、音声の録音・再生を行うことができる移動通信端末となる。
【００５８】
また第２の本発明によれば、ユーザが喋った音声などは、その音声を示す音声データを所定符号化レートで再度の圧縮符号化をして得られる圧縮音声データを記憶手段に記憶することで録音する。そしてこの録音した音声は、記憶手段に記憶されている圧縮音声データを復号した上で再生する。従って、記憶手段には常に所定符号化レートで符号化された圧縮音声データが記憶されることとなり、この結果、マルチレートの圧縮符号化方式に対応していながら、音声の録音・再生を行うことができる移動通信端末となる。
【図面の簡単な説明】
【図１】本発明の第１実施形態に係る携帯電話機の構成を示すブロック図。
【図２】本発明の第１実施形態における留守番録音処理のフローチャート。
【図３】本発明の第１実施形態における再生処理のフローチャート。
【図４】本発明の第１実施形態におけるデータの流れを模式的に示す図。
【図５】本発明の第２実施形態に係る携帯電話機の構成を示すブロック図。
【図６】本発明の第２実施形態における留守番録音処理のフローチャート。
【図７】本発明の第２実施形態におけるデータの流れを模式的に示す図。
【符号の説明】
１…マイクロホン
２…Ａ／Ｄ変換器
３…セレクタ
４…音声符号化器
５…チャネル符号化器
６…インタリーバ
７…変調部
８…無線部
９…アンテナ
１０…復調部
１１…デインタリーバ
１２…チャネル復号器
１３…音声復号器
１４…セレクタ
１５…Ｄ／Ａ変換器
１６…スピーカ
１７…録音用メモリ
１８…キー入力部
１９…表示部
２０，２１…制御部
２０ａ…録音レート受付手段
２０ｂ…録音モード受付手段
２０ｃ…留守番録音制御手段
２０ｄ…再生制御手段
２１ａ…メモ録音制御手段
【図１】
2004120432.tif 000003
【図２】
2004120432.tif 000004
【図３】
2004120432.tif 000005
【図４】
2004120432.tif 000006
【図５】
2004120432.tif 000007
【図６】
2004120432.tif 000008
【図７】
2004120432.tif 000009